【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  受信系統からの入力信号が供給される被減算端子および送受アンテナ間の回り込みをキャンセルするための信号が供給される減算端子を有している減算器と、
該減算器の出力信号が入力され受信信号を増幅して再送信するための送信系統の入出力信号のいずれか一方の信号が分岐されて回り込み観測信号として供給され回り込み信号の複製を発生して前記減算器の減算端子に供給するＦＩＲフィルタと、
前記回り込み観測信号が分岐されて供給され、入カされた信号を直交復調して複素の等価ベースバンド信号を出力する直交復調回路と、
前記回り込み観測信号が分岐されて供給され、入力された信号からＩＳＤＢ−Ｔ方式のモードおよびガード比を判定して出力するモード判定回路と、
該モード判定回路からの信号で決定されるＦＦＴポイント数で前記直交復調回路からの等価ベースバンド信号をＦＦＴして周波数領域の信号に変換して出力するＦＦＴ回路と、
該ＦＦＴ回路の出力信号からＩＳＤＢ−Ｔ方式の各セグメントにおけるデータキャリアの変調方式の情報を含んだＴＭＣＣを復号するＴＭＣＣ復号回路と、
該ＴＭＣＣ復号回路からの信号および前記モード判定回路からの信号に従って、
前記ＦＦＴ回路の出力信号から系全体の総合伝達関数に対応する周波数特性データを算出する周波数特性算出回路と、
該周波数特性算出回路からの周波数特性データを、前記ＴＭＣＣ復号回路からの信号に従って連続化する周波数特性連続化回路と
該周波数特性連続化回路からの信号を平均化して主波成分を出力する主波成分抽出回路と、
該主波成分抽出回路からの出力と前記周波数特性連続化回路からの周波数特性データから回り込みのキャンセル残差の周波数特性を算出して出力するキャンセル残差演算回路と、
該キャンセル残差演算回路から出力される回り込みキャンセル残差の周波数特性を逆フーリエ変換して時間領域の回り込みキャンセル残差のインパルス応答を算出する逆フーリエ変換回路と、
該逆フーリエ変換回路から出力された回り込みキャンセル残差のインパルス応答から前記ＦＩＲフィルタ制御する部分だけを抽出して逐次更新して前記ＦＩＲフィルタに係数として供給する係数抽出回路と、
該係数抽出回路から出力された信号が分岐して供給されており、前記ＦＩＲフィルタに供給した係数を前記係数抽出回路が次に係数更新するまで遅延させて出力する遅延回路とを少なくとも具えてなることを特徴とする回り込みキャンセラ。
【請求項２】  請求項１記載の回り込みキャンセラにおいて、前記周波数特性算出回路が、
ＩＳＤＢ−Ｔ方式におけるＯＦＤＭセグメントのキャリア変調方式毎に、前記ＦＦＴ回路の出力信号から系全体の総合伝達関数に対応する周波数特性データを算出するように構成したことを特徴とする回り込みキャンセラ。
【請求項３】  請求項１または２記載の回り込みキャンセラにおいて、前記周波数特性連続化回路が、
当該回路への入力信号である前記周波数特性算出回路からの周波数特性データの周波数位相特性に生じる不連続を除去して出力する位相連続化回路と、
前記周波数特性算出回路において周波数特性データを算出することができたキャリアにおける前記位相連続化回路からの信号を用いて前記周波数特性算出回路において算出することができないキャリアの周波数特性データを内挿補間して出力する周波数特性補間回路とを具えてなることを特徴とする回り込みキャンセラ。
【請求項４】  請求項１乃至３のいずれか一項記載の回り込みキャンセラにおいて、前記周波数特性算出回路が、
当該回路への入力信号である前記ＦＦＴ回路からの信号のうちＣＰとそれ以外のキャリアを分離して出力するＣＰ分離回路と、
該ＣＰ分離回路からの出力されるＣＰ以外のキャリアが入力されており、入力信号をＯＦＤＭセグメント毎に分割して出力するセグメント分割回路と、
該セグメント分割回路からの信号を前記ＴＭＣＣ復号回路からの各セグメントにおけるデータキャリアの変調方式に従って、同期変調部のセグメントと差動変調部のセグメントに分割して出力する同期部・差動部ゲート回路と、
該同期部・差動部ゲート回路からの同期変調部のセグメントの信号が入力されており、入力信号に含まれるＳＰを用いて同期変調部のセグメントの周波数特性を算出して出力する同期部周波数特性算出回路と、
前記同期部・差動部ゲート回路からの差動変調部のセグメントの信号が入力されており、位相変調されたキャリアを用いて差動変調部のセグメントの周波数特性を算出して出力する差動部周波数特性算出回路と、
前記モード判定回路の情報から決定されるＣＰの送信信号で前記ＣＰ分離回路から出力されたＣＰの信号を複素除算してＣＰにおける周波数特性を算出して出力する複素除算回路と、
前記同期部周波数特性算出回路から出力される周波数特性、および、前記差動部周波数特性算出回路から出力される周波数特性、および、前記複素除算回路から出力される周波数特性をそれぞれもとのセグメントの並びとなるよう合成して出力するセグメント合成回路とを具えてなることを特徴とする回り込みキャンセラ。
【請求項５】  請求項４記載の回り込みキャンセラにおいて、前記差動部周波数特性算出回路が、
当該回路へ入力される前記同期部・差動部ゲート回路からの信号からＣＰを分離してＣＰとそれ以外のキャリアの信号に分離して出力する差動部ＣＰ分離回路と、
前記同期部・差動部ゲート回路からの信号が供給されており、前記ＣＰおよび前記ＣＰと隣り合うＤＱＰＳＫ変調されたデータキャリアの位相差からデータキャリアの位相がπ／４シフトのどの位相にあるかを判定して出力するπ／４シフト判定回路と、
前記差動部ＣＰ分離回路から出力されるＣＰ以外のキャリア信号が供給されておりＤＱＰＳＫ変調されたキャリアとＢＰＳＫ変調されたキャリアに分割してそれぞれ出力するＤＱＰＳＫ・ＢＰＳＫゲート回路と、
該ＤＱＰＳＫ・ＢＰＳＫゲート回路からのＤＱＰＳＫ変調されたキャリアの信号が供給されており、前記π／４シフト判定回路からの信号に従ってＤＱＰＳＫ変調されたキャリアの位相変調成分を除去することでＤＱＰＳＫ変調されたキャリアの周波数特性を算出するＤＱＰＳＫキャリア周波数特性算出回路と、
該ＤＱＰＳＫ・ＢＰＳＫゲート回路からのＢＰＳＫ変調されたキャリアの信号が供給されており、ＢＰＳＫ変調されたキャリアの位相変調成分を除去し、キャリアの振幅を等化することで、ＢＰＳＫ変調されたキャリアの周波数特性を算出するＢＰＳＫキャリア周波数特性算出回路と、
前記モード判定回路の情報から決定されるＣＰの送信信号で前記差動部ＣＰ分離回路から出力されたＣＰの信号を複素除算してＣＰにおける周波数特性を算出して出力する第２の複素除算回路と、
前記ＤＱＰＳＫキャリア周波数特性算出回路から出力される周波数特性、および、前記ＢＰＳＫキャリア周波数特性算出回路から出力される周波数特性、および、前記第２の複素除算回路から出力される周波数特性をそれぞれもとのキャリアの並びとなるよう合成して出力する周波数特性合成回路とを具えてなることを特徴とする回り込みキャンセラ。
【手続補正２】
【補正対象書類名】明細書
【補正対象項目名】０００８
【補正方法】変更
【補正の内容】
【０００８】
【課題を解決するための手段】
上記の目的を達成するために、本発明回り込みキャンセラは、受信系統からの入力信号が供給される被減算端子および送受アンテナ間の回り込みをキャンセルするための信号が供給される減算端子を有している減算器と、該減算器の出力信号が入力され受信信号を増幅して再送信するための送信系統の入出力信号のいずれか一方の信号が分岐されて回り込み観測信号として供給され回り込み信号の複製を発生して前記減算器の減算端子に供給するＦＩＲフィルタと、前記回り込み観測信号が分岐されて供給され、入カされた信号を直交復調して複素の等価ベースバンド信号を出力する直交復調回路と、前記回り込み観測信号が分岐されて供給され、入力された信号からＩＳＤＢ−Ｔ方式のモードおよびガード比を判定して出力するモード判定回路と、該モード判定回路からの信号で決定されるＦＦＴポイント数で前記直交復調回路からの等価ベースバンド信号をＦＦＴして周波数領域の信号に変換して出力するＦＦＴ回路と、該ＦＦＴ回路の出力信号からＩＳＤＢ−Ｔ方式の各セグメントにおけるデータキャリアの変調方式の情報を含んだＴＭＣＣを復号するＴＭＣＣ復号回路と、該ＴＭＣＣ復号回路からの信号および前記モード判定回路からの信号に従って、前記ＦＦＴ回路の出力信号から系全体の総合伝達関数に対応する周波数特性データを算出する周波数特性算出回路と、該周波数特性算出回路からの周波数特性データを、前記ＴＭＣＣ復号回路からの信号に従って連続化する周波数特性連続化回路と、該周波数特性連続化回路からの信号を平均化して主波成分を出力する主波成分抽出回路と、該主波成分抽出回路からの出力と前記周波数特性連続化回路からの周波数特性データから回り込みのキャンセル残差の周波数特性を算出して出力するキャンセル残差演算回路と、該キャンセル残差演算回路から出力される回り込みキャンセル残差の周波数特性を逆フーリエ変換して時間領域の回り込みキャンセル残差のインパルス応答を算出する逆フーリエ変換回路と、該逆フーリエ変換回路から出力された回り込みキャンセル残差のインパルス応答から前記ＦＩＲフィルタ制御する部分だけを抽出して逐次更新して前記ＦＩＲフィルタに係数として供給する係数抽出回路と、該係数抽出回路から出力された信号が分岐して供給されており、前記ＦＩＲフィルタに供給した係数を前記係数抽出回路が次に係数更新するまで遅延させて出力する遅延回路とを少なくとも具えてなることを特徴とするものである。
【手続補正３】
【補正対象書類名】明細書
【補正対象項目名】０００９
【補正方法】変更
【補正の内容】
【０００９】
また、本発明回り込みキャンセラは、前記周波数特性算出回路が、ＩＳＤＢ−Ｔ方式におけるＯＦＤＭセグメントのキャリア変調方式毎に、前記ＦＦＴ回路の出力信号から系全体の総合伝達関数に対応する周波数特性データを算出するように構成したことを特徴とするものである。
【手続補正４】
【補正対象書類名】明細書
【補正対象項目名】００１０
【補正方法】変更
【補正の内容】
【００１０】
また、本発明回り込みキャンセラは、前記周波数特性連続化回路が、当該回路への入力信号である前記周波数特性算出回路からの周波数特性データの周波数位相特性に生じる不連続を除去して出力する位相連続化回路と、前記周波数特性算出回路において周波数特性データを算出することができたキャリアにおける前記位相連続化回路からの信号を用いて前記周波数特性算出回路において算出することができないキャリアの周波数特性データを内挿補間して出力する周波数特性補間回路とを具えてなることを特徴とするものである。
また、本発明回り込みキャンセラは、前記周波数特性算出回路が、当該回路への入力信号である前記ＦＦＴ回路からの信号のうちＣＰとそれ以外のキャリアを分離して出力するＣＰ分離回路と、該ＣＰ分離回路からの出力されるＣＰ以外のキャリアが入力されており、入力信号をＯＦＤＭセグメント毎に分割して出力するセグメント分割回路と、該セグメント分割回路からの信号を前記ＴＭＣＣ復号回路からの各セグメントにおけるデータキャリアの変調方式に従って、同期変調部のセグメントと差動変調部のセグメントに分割して出力する同期部・差動部ゲート回路と、該同期部・差動部ゲート回路からの同期変調部のセグメントの信号が入力されており、入力信号に含まれるＳＰを用いて同期変調部のセグメントの周波数特性を算出して出力する同期部周波数特性算出回路と、前記同期部・差動部ゲート回路からの差動変調部のセグメントの信号が入力されており、位相変調されたキャリアを用いて差動変調部のセグメントの周波数特性を算出して出力する差動部周波数特性算出回路と、前記モード判定回路の情報から決定されるＣＰの送信信号で前記ＣＰ分離回路から出力されたＣＰの信号を複素除算してＣＰにおける周波数特性を算出して出力する複素除算回路と、前記同期部周波数特性算出回路から出力される周波数特性、および、前記差動部周波数特性算出回路から出力される周波数特性、および、前記複素除算回路から出力される周波数特性をそれぞれもとのセグメントの並びとなるよう合成して出力するセグメント合成回路とを具えてなることを特徴とするものである。
また、本発明回り込みキャンセラは、前記差動部周波数特性算出回路が、当該回路へ入力される前記同期部・差動部ゲート回路からの信号からＣＰを分離してＣＰとそれ以外のキャリアの信号に分離して出力する差動部ＣＰ分離回路と、前記同期部・差動部ゲート回路からの信号が供給されており、前記ＣＰおよび前記ＣＰと隣り合うＤＱＰＳＫ変調されたデータキャリアの位相差からデータキャリアの位相がπ／４シフトのどの位相にあるかを判定して出力するπ／４シフト判定回路と、前記差動部ＣＰ分離回路から出力されるＣＰ以外のキャリア信号が供給されておりＤＱＰＳＫ変調されたキャリアとＢＰＳＫ変調されたキャリアに分割してそれぞれ出力するＤＱＰＳＫ・ＢＰＳＫゲート回路と、該ＤＱＰＳＫ・ＢＰＳＫゲート回路からのＤＱＰＳＫ変調されたキャリアの信号が供給されており、前記π／４シフト判定回路からの信号に従ってＤＱＰＳＫ変調されたキャリアの位相変調成分を除去することでＤＱＰＳＫ変調されたキャリアの周波数特性を算出するＤＱＰＳＫキャリア周波数特性算出回路と、該ＤＱＰＳＫ・ＢＰＳＫゲート回路からのＢＰＳＫ変調されたキャリアの信号が供給されており、ＢＰＳＫ変調されたキャリアの位相変調成分を除去し、キャリアの振幅を等化することで、ＢＰＳＫ変調されたキャリアの周波数特性を算出するＢＰＳＫキャリア周波数特性算出回路と、前記モード判定回路の情報から決定されるＣＰの送信信号で前記差動部ＣＰ分離回路から出力されたＣＰの信号を複素除算してＣＰにおける周波数特性を算出して出力する第２の複素除算回路と、前記ＤＱＰＳＫキャリア周波数特性算出回路から出力される周波数特性、および、前記ＢＰＳＫキャリア周波数特性算出回路から出力される周波数特性、および、前記第２の複素除算回路から出力される周波数特性をそれぞれもとのキャリアの並びとなるよう合成して出力する周波数特性合成回路とを具えてなることを特徴とするものである。